(57)【特許請求の範囲】
【請求項１】
弾性合成樹脂により一体に成形されたカード差しであって、板状本体にカードを抜き差し自在に保持するためのカード保持部を形成し、該板状本体の下辺部に背面に突出するように下向き鉤状の一対の下部フックを形成し、該板状本体の上部寄り背面に下向き鉤状の一対の上部フックを突設し、該上部フックの下端部内面に雁首状の内向突縁を形成し、該上部フックの一対の内向突縁の上面どうしを結ぶ水平線よりも下側であって該各上部フックと横並びとなる位置にて板状本体に一対の門形の切抜を形成することにより一対の弾性片を形成し、該各弾性片の裏側面は上方に向けて隆起する斜面状に形成し、該板状本体をボックスパレットの外側面に重合させて下方にスライドすることにより下部フックを該ボックスパレットの下部の棒状部材に係合させるとともに、上部フックが該ボックスパレットの上部の棒状部材に係合する際に該棒状部材によって前記弾性片が押圧され該弾性片が前方に一時的に撓んで弾性復元することにより、上部フックに係合した棒状部材の抜脱が該弾性片によって阻止されるようにしたことを特徴とするカード差し。
【発明の詳細な説明】
【技術分野】
【０００１】
本発明は、運搬用容器に取り付けられその収納物の名称や属性，ロット番号，バーコード等の情報が表示されたカードを抜き差し自在に保持するための合成樹脂製のカード差しに関するものである。
【背景技術】
【０００２】
鉄筋等の金属製の棒状部材を格子状に配してなる金属製運搬用容器（以下、ボックスパレットという）は、エンジン組立品等の自動車部品等の機械，器具、その他の物品を収納するのに広く使用されている。そして、そのボックスパレットの外側面にその収納物の名称や属性，ロット番号，バーコード等の情報が表示されたカードを抜き差し自在に保持するためのカード差しが取り付けられる。下記特許文献１に示されたカード差しは、パンチングメタルのような斜格子網状の側壁からなるボックスパレットに取り付けられる弾性合成樹脂製のカード差しの構造を開示するものである。
【特許文献１】特開２００３−１５７０１３号公報
【０００３】
上記特許文献１に示されたような従来のカード差しは、図９，図１０に示したように、カード保持部ａが形成された板状本体ｂの下辺部に背面に突出する一対の下向き鉤状の下部フックｃを一体に形成するとともに、該板状本体ｂの上部寄り背面に爪片ｄと起立片ｅからなる挟着部ｆを形成し、このカード差しをボックスパレットに取り付けるにあたっては、図１１に示したように、先ず下部フックｃをボックスパレットの格子を構成する下部の棒状部材ｇ１に係合し、次いで図１２に示したように、該板状本体ｂを起立させて爪片ｄ，起立片ｅ間に上部の棒状部材ｇ２を挟入させるものであった。
【発明の開示】
【発明が解決しようとする課題】
【０００４】
ところが上記のようなカード差し取付構造であると、輸送中の振動によってカード差しがその板面と直交する方向に揺れると、その揺れ方向が棒状部材ｇ２に対する爪片ｄの係合方向と同じであるので係合が外れ脱落し易い欠点があった。また、ボックスパレットの収納物が揺れて爪片ｄ，起立片ｅに接触することによっても係合が外れ脱落し易い欠点があった。
【０００５】
そこで本発明は、ボックスパレットに簡単に取付でき、振動や衝撃によって脱落し難いカード差しを提供しようとするものである。
【課題を解決するための手段】
【０００６】
そのために請求項１に記載のカード差しの発明は、弾性合成樹脂により一体に成形されたカード差しであって、板状本体にカードを抜き差し自在に保持するためのカード保持部を形成し、該板状本体の下辺部に背面に突出するように下向き鉤状の一対の下部フックを形成し、該板状本体の上部寄り背面に下向き鉤状の一対の上部フックを突設し、該上部フックの下端部内面に雁首状の内向突縁を形成し、該上部フックの一対の内向突縁の上面どうしを結ぶ水平線よりも下側であって該各上部フックと横並びとなる位置にて板状本体に一対の門形の切抜を形成することにより一対の弾性片を形成し、該各弾性片の裏側面は上方に向けて隆起する斜面状に形成し、該板状本体をボックスパレットの外側面に重合させて下方にスライドすることにより下部フックを該ボックスパレットの下部の棒状部材に係合させるとともに、上部フックが該ボックスパレットの上部の棒状部材に係合する際に該棒状部材によって前記弾性片が押圧され該弾性片が前方に一時的に撓んで弾性復元することにより、上部フックに係合した棒状部材の抜脱が該弾性片によって阻止されるようにしたことを特徴とする。
このため、カード差しの揺れ易い方向とカード差しの取付方向とが異なり、係合が外れ難くなる。また収納物が当たって係合が外れるようなこともなくなる。また、弾性片が弾性復元により板状本体１の背面に突出することにより、カード差しをいっそう外れ難くすることができる。
【発明の効果】
【０００９】
振動や衝撃、或いは収納物が当たることによってカード差しがボックスパレットから脱落するようなことを無くすことが出来る。
【実施例１】
【００１０】
図１〜図４は本発明に係る弾性合成樹脂により一体に成形されたカード差しの実施例を示すものであり、このカード差しは、略長方形状の板状本体１の略中央に大きな門形の切抜２を形成することにより弾性挟着片３を形成し、該板状本体１の下辺部の略中央に肉薄部４を介して下方に延びる背板部５を延設し、該背板部を該肉薄部４から背面側に折り返すことで、図５に示したように、該弾性挟着片３の先端縁に三つ又状に形成された係合片６を該切抜２の上縁部に係合させることで該背板部５を弾性挟着片３の背面に重合させ、該背板部５と弾性挟着片３との間に情報が表示されたカード（図示せず）を抜き差し自在に保持し得るカード保持部７が形成されるようにする。
【００１１】
８は該板状本体１の下辺部に背面に突出するよう形成された下向き鉤状の一対の下部フックで、該下部フック８は下方に十分な長さを有するように形成するとともに、その下端寄りに内側に「く」字状に折れ曲がる屈曲部９を形成している。なお、１０は該下部フックの背面に形成された補強リブである。
【００１２】
また、１１は該板状本体１の上部寄り背面に突設された下向き鉤状の一対の上部フック、１２は該上部フックの下端部内面に形成された雁首状の内向突縁、１３は該上部フックの背面に形成された補強リブ、１４は該上部フックを射出成形金型により成形するために該板状本体１に開設される型抜孔である。
【００１３】
そして、この一対の上部フック１１の内向突縁１２の上面どうしを結ぶ水平線よりも下側であって該各上部フックと横並びとなる位置に図３に示したように板状本体１の背面に突出する一対の弾性片１５を形成する。該弾性片１５は板状本体１に門形の切抜１６を形成することにより弾性を具備させるとともに、該弾性片の裏側面１７は上方に向けて隆起する斜面状に形成する。このように弾性片１５は上部フック１１の真下でなく各上部フックと横並びとなる位置に形成するものであるので、上部フック１１の存在が障害となることなく大きく背面に突出する形状に形成することができ、棒状部材に対する係合量を十分に設定することができる。なお、１８は厚手となった弾性片１５のいわゆる肉盗みのために形成した窪みである。
【００１４】
このように構成したカード差しは、ボックスパレットに取り付けるに際し、図６に破断線で示したように板状本体１をボックスパレットの外側面に重合させ、一対の下部フック８を該ボックスパレットの側面の下部の棒状部材ｇ１の上側に位置させ、上部フック１１を上部の棒状部材ｇ２の上側に位置させた後、矢印で示したように該カード差しをそのまま下方にスライドさせ、同図に実線で示したように棒状部材ｇ１を下部フック８の屈曲部９内に係合させるとともに、弾性片１５を棒状部材ｇ２によって押圧させ前方に一時的に撓ませることにより、該棒状部材ｇ２を上方に通過させ上部フック１１を該棒状部材ｇ２に係合させる。
【００１５】
なお、弾性片１５の背面１７は上記のように上方に向けて隆起する斜面状に形成されていることから、該カード差しをスライドさせた際に棒状部材ｇ２が該裏側面１７を滑りつつ押圧し、該弾性片１５は容易に弾性変形し前方に一時的に撓んで該棒状部材ｇ２を容易に上方に通過させ得る。また、その際、棒状部材ｇ２は上部フック１１の内面に形成された内向突縁１２に当たり該上部フック１１を一時的に後方に弾性変形させ復元により該上部フック１１を該棒状部材ｇ２に係合させる。このためこのカード差しは、弾性片１５を板状本体１の背面から大きく突出する形状に形成してもよく、該弾性片１５が弾性復元により板状本体１の背面から突出することにより、棒状部材ｇ２の抜脱が確実に阻止される。
【００１６】
また、図７に示したようにボックスパレットを構成する縦の棒状部材ｇ３およびｇ４を上部フック１１と弾性片１５の間に位置させることにより、該カード差しが横方向にずれることなく取り付けられる。このため、このカード差しは輸送中の振動，衝撃等によっては、ずれたり外れたりするおそれのない確実な取付が可能となる。
【００１７】
またこのカード差しでは、下部フック８を十分な長さを有するように形成したことにより、横方向の棒状部材のピッチが異なるボックスパレットに対しても取付を可能にしている。即ち、上部フック１１が係合する棒状部材ｇ２と下部フック８が係合する棒状部材ｇ１との間隔が一定でなくても下部フック８は屈曲部９上の長さに余裕を持たせることにより、ピッチが多少違うものに対しても取付が可能である。また、下部フック８の下端寄りに形成された屈曲部９は、下方にハ字状に拡がることで、取付時に棒状部材ｇ１の挿入が容易となるようにしている。
【００１８】
なお図８はこのようにしてボックスパレットにカード差しが取り付けられ、その弾性挟着片３により種々の情報が表示されたカード１９を抜き差し自在に保持させた使用例を示すものである。
【図面の簡単な説明】
【００１９】
【図１】本発明の実施例を示すカード差しの正面図。
【図２】図１のカード差しのＡ−Ａ線断面図。
【図３】図１のカード差しのＢ−Ｂ線断面図。
【図４】図１のカード差しの斜視図。
【図５】図１のカード差しの組立時の斜視図。
【図６】本発明の実施例を示すカード差しの取付時の断面図。
【図７】本発明の実施例を示すカード差しの取付時の正面図。
【図８】本発明の実施例を示すカード差しの使用時の斜視図。
【図９】従来のカード差しの正面図。
【図１０】図９の従来のカード差しの側面図。
【図１１】図９の従来のカード差しの取付途中の側面図。
【図１２】図９の従来のカード差しの取付時の側面図。
【符号の説明】
【００２０】
１                      板状本体
３                      弾性挟着片
７                      カード保持部
８                      下部フック
１１                    上部フック
１２                    内向突縁
１５                    弾性片
１６                    切抜
１７                    弾性片の裏側面
１９                    カード
ｇ１，ｇ２，ｇ３，ｇ４  ボックスパレットを構成する棒状部材
【図１】
0004515074.tif 000002
【図２】
0004515074.tif 000003
【図３】
0004515074.tif 000004
【図４】
0004515074.tif 000005
【図５】
0004515074.tif 000006
【図６】
0004515074.tif 000007
【図７】
0004515074.tif 000008
【図８】
0004515074.tif 000009
【図９】
0004515074.tif 000010
【図１０】
0004515074.tif 000011
【図１１】
0004515074.tif 000012
【図１２】
0004515074.tif 000013